(57)【要約】      （修正有）【課題】組立・分解の作業性が良く簡素な構造を有した仮設トイレ囲いを提供する。【解決手段】ボックス型の仮設トイレ１０を外側から囲んで被覆する仮設トイレ囲い２０において、仮設トイレ１０の左右の側面に取着される左右２個の方形側面枠３０と、仮設トイレ１０の背面側で、両方形側面枠３０に着脱されて架け渡される横桟４０とから、仮設トイレ１０を囲む囲み枠体２１を形成し、仮設トイレ１０を被覆するシート２２を上記囲み枠体２１に取着してなる。【選択図】図７
0003182792.tif 000002
【実用新案登録請求の範囲】
【請求項１】
ボックス型の仮設トイレを外側から囲んで被覆する仮設トイレ囲いにおいて、
仮設トイレの左右の側面に取着される左右２個の方形側面枠と、仮設トイレの背面側で、両方形側面枠に着脱されて架け渡される横桟とから、仮設トイレを囲む囲み枠体を形成し、
仮設トイレを被覆するシートを上記囲み枠体に取着してなることを特徴とする仮設トイレ囲い。
【請求項２】
前記方形側面枠に設けた上下の取付部が、仮設トイレが備える上下の取付手段に着脱される請求項１に記載の仮設トイレ囲い。
【請求項３】
前記仮設トイレの上取付手段が吊りフックであり、下取付手段が便槽取付具である請求項２に記載の仮設トイレ囲い。
【考案の詳細な説明】
【技術分野】
【０００１】
本考案は仮設トイレ囲いに関する。
【背景技術】
【０００２】
仮設トイレ囲いとして、特許文献１に記載の如く、仮設トイレの左右の側面に取着される左右２個の方形側面枠と、仮設トイレの背面側で、両方形側面枠に取着される方形後面枠とから、仮設トイレを囲む囲み枠体を形成するものがある。仮設トイレを被覆するシートが上記囲み枠体に取着される。
【先行技術文献】
【特許文献】
【０００３】
【特許文献１】特許3853288
【考案の概要】
【考案が解決しようとする課題】
【０００４】
特許文献１に記載の仮設トイレの囲み枠体は、左右２個の方形側面枠と、方形後面枠とから形成される。方形後面枠も、方形側面枠と同様に、複数本の縦横の枠材と横桟の組立体であり、複雑な構造物になっている。しかも、方形後面枠は、重量物である上に、左右の縦枠材の上下端開口部を左右の方形側面枠の上下に設けた下向き突起と上向き突起に差し入れて取着されるものとされ、組立／分解作業性も悪い。
【０００５】
本考案の課題は、仮設トイレ囲いの簡素化を図ることにある。
【課題を解決するための手段】
【０００６】
請求項１に係る考案は、ボックス型の仮設トイレを外側から囲んで被覆する仮設トイレ囲いにおいて、仮設トイレの左右の側面に取着される左右２個の方形側面枠と、仮設トイレの背面側で、両方形側面枠に着脱されて架け渡される横桟とから、仮設トイレを囲む囲み枠体を形成し、仮設トイレを被覆するシートを上記囲み枠体に取着してなるようにしたものである。
【０００７】
請求項２に係る考案は、請求項１に係る考案において更に、前記方形側面枠に設けた上下の取付部が、仮設トイレが備える上下の取付手段に着脱されるようにしたものである。
【０００８】
請求項３に係る考案は、請求項２に係る考案において更に、前記仮設トイレの上取付手段が吊りフックであり、下取付手段が便槽取付具であるようにしたものである。
【考案の効果】
【０００９】
（請求項１）
(a)仮設トイレを囲む囲み枠体が、左右２個の方形側面枠と、両方形側面枠に着脱されて架け渡される横桟とから形成される。横桟は単純かつ軽量体である。しかも、横桟は両端部を両方形側面枠に簡易に着脱されるだけで囲み枠体を形成でき、組立／分解作業性も良い。従って、仮設トイレ囲いの簡素化を図ることができる。
【００１０】
（請求項２）
(b)前記方形側面枠に設けた上下の取付部が、仮設トイレが備える上下の取付手段に着脱されるものとすることにより、方形側面枠の仮設トイレへの組立／分解作業性も良い。
【００１１】
（請求項３）
(c)前記仮設トイレの上取付手段が吊りフックであり、下取付手段が便槽取付具であるものとすることにより、方形側面枠を仮設トイレがもともと備える吊りフックと便槽取付具を利用して該仮設トイレにワンタッチで簡易かつ確実に着脱できる。
【図面の簡単な説明】
【００１２】
【図１】図１は仮設トイレを示す側面図である。
【図２】図２は仮設トイレに設けた取付手段を示す模式図である。
【図３】図３は囲み枠体を分解して示す斜視図である。
【図４】図４はシートを示す正面図である。
【図５】図５は仮設トイレへの方形側面枠の取着状態を示す斜視図である。
【図６】図６は方形側面枠への横桟の取着状態を示す斜視図である。
【図７】図７は囲み枠体へのシートの取着状態を示す斜視図である。
【図８】図８は囲み枠体の変形例を示す正面図である。
【考案を実施するための形態】
【００１３】
図１に示したボックス型の仮設トイレ１０は、工事現場等に設置されて使用される。仮設トイレ１０は、便槽１１の上部にハウス１２の下端部を取着し、便槽１１に固定した便器（不図示）をハウス１２内に配置し、ハウス１２の上部に屋根１３を設け、ハウス１２の前面に開閉扉１４を設けている。ハウス１２と屋根１３は、図２（Ａ）に示す如く、仮設トイレ１０の上部に設けられて吊りフック１５にもなるアイボルトで固定される。便槽１１とハウス１２は、図２（Ｂ）に示す如く、仮設トイレ１０の下部に設けられて上向きに延在するストッパ付ボルト１６で固定される。ストッパ付ボルト１６は、その軸内に内蔵したばねによりバックアップされてその軸の外面から突出するストッパ１６Ａを備える。ストッパ１６Ａはばねの弾発力に抗する外力によりその軸内に押込まれる。即ち、ストッパ付ボルト１６のストッパ１６Ａは、ばねにバックアップされて自由状態で係止位置に突出し、かつ外力を受けて非係止位置まで没入される。
【００１４】
仮設トイレ囲い２０は、工事現場における美観の向上及び近隣への配慮から、上記の仮設トイレ１０を外側から囲んで被覆する。仮設トイレ囲い２０は、図１に示す如く、仮設トイレ１０を囲む囲み枠体２１と、仮設トイレ１０を被覆するシート２２とからなる。
【００１５】
囲み枠体２１は、図３に示す如く、仮設トイレ１０の左右の側面に取着される左右２個の方形側面枠３０、３０と、仮設トイレ１０の背面側で両方形側面枠３０、３０に着脱されて架け渡される横桟４０とから形成される。
【００１６】
方形側面枠３０は、仮設トイレ１０の正面側と背面側に位置する例えばパイプ状の縦材３１、３１と、両縦材３１、３１の上端及び下端寄りを連結する例えばパイプ状の上下の横材３２、３３とからなり、更に縦材３１の中間部〜最下端部には、例えばパイプ状の１本又は２本以上の補強材３４が差し渡される。
【００１７】
方形側面枠３０は、上横材３２の軸方向の２位置に上取付部３５を溶接等されて備える。上取付部３５は、例えばパイプ材の下端に楕円状開口を形成されてなり、仮設トイレ１０が備える上取付手段としての吊りフック１５に上からその楕円状開口を着脱可能にされる。
【００１８】
方形側面枠３０は、下横材３３の軸方向の２位置に下取付部３６を溶接等されて備える。下取付部３６は、例えば板材に取付孔を形成されてなり、仮設トイレ１０が備える下取付手段としてのストッパ付ボルト１６に上からその取付孔を着脱可能にされる。下取付部３６はストッパ付ボルト１６のストッパ１６Ａをばねの弾発力に抗して該ボルト１６の軸内に押込むことにより該ストッパ１６Ａの前面を通過してその直下に挿着された後、該ばねの弾発力によって弾発的に突出するストッパ１６Ａにより抜け止めされる。ストッパ付ボルト１６のストッパ１６Ａが作業者の手によって押込まれたとき、下取付部３６はストッパ付ボルト１６から抜き取りできる。
【００１９】
方形側面枠３０は、背面側の縦材３１の上端寄りに、横桟４０が後述する如くに着脱されるストッパ付ボルト３７（ストッパ付ボルト１６と同一構造）を正面向きに延在させて備える。
【００２０】
方形側面枠３０は、上横材３２の軸方向で、両上取付部３５に挟まれない両端側に、後述する側面用シート２２Ａの両吊りフック５２をずれ止めする上向きピン３８を突設させて備える。
【００２１】
横桟４０は、例えばパイプ材の両端部を扁平化された取付部４１、４１とされ、この取付部４１に取付孔を形成されてなり、左右の方形側面枠３０の背面側の縦材３１の上端寄りに備えたストッパ付ボルト３７に正面側からその取付孔を着脱可能にされる。取付部４１はストッパ付ボルト３７のストッパ３７Ａ（ストッパ付ボルト１６のストッパ１６Ａと同じ）をばねの弾発力に抗して該ボルト３７の軸内に押込むことにより該ストッパ３７Ａの前面を通過してその直下に挿着された後、該ばねの弾発力によって弾発的に突出するストッパ３７Ａにより抜け止めされる。ストッパ付ボルト３７のストッパ３７Ａが作業者の手によって押込まれたとき、取付部４１はストッパ付ボルト３７から抜き取りできる。
【００２２】
シート２２は、囲み枠体２１の両側面と背面のそれぞれに配置される側面用シート２２Ａと背面用シート２２Ｂとからなる。シート２２は、側面用シート２２Ａも背面用シート２２Ｂも同様に構成され、図４に示す如く、袋状上縁部に吊りパイプ５１を取付け、吊りパイプ５１の両端寄り各１ヵ所に吊りフック５２を備えるとともに、両側縁部に沿う上下複数位置にハト目５３を備える。側面用シート２２Ａは、両側の吊りフック５２を方形側面枠３０における上横材３２の上向きピン３８よりも端部寄りに掛け、両側縁部のハト目５３に結んだひも５４を方形側面枠３０における正面側と背面側の縦材３１に結束することにて、囲み枠体２１の側面に配置される。
【００２３】
背面用シート２２Ｂは、両側の吊りフック５２を横桟４０に掛け、両側縁部のハト目５３に結んだひも５４を左右の方形側面枠３０における背面側の縦材３１に結束することにて、囲み枠体２１の背面に配置される。
【００２４】
以下、工事現場に据付けた仮設トイレ１０に対する、仮設トイレ囲い２０の組立手順について説明する。
【００２５】
(1)囲み枠体２１を構成する左右の方形側面枠３０を仮設トイレ１０の左右の側面に配置する（図５）。
【００２６】
方形側面枠３０の補強材３４を作業者の手に持ち、上横材３２の上取付部３５の楕円状開口を仮設トイレ１０が備えた吊りフック１５に上から合わせ、下横材３３の下取付部３６の取付孔を仮設トイレ１０が備えたストッパ付ボルト１６に上から合わせる。そして、上横材３２の上取付部３５の楕円状開口と下横材３３の下取付部３６の取付孔を同時に、仮設トイレ１０の吊りフック１５とストッパ付ボルト１６に差込む。下横材３３の下取付部３６がストッパ付ボルト１６のストッパ１６Ａにより抜け止めされる。
【００２７】
(2)囲み枠体２１を構成する横桟４０を仮設トイレ１０の背面側で、左右の方形側面枠３０に取着する（図６）。
【００２８】
横桟４０の両端部の取付部４１の取付孔を、左右の方形側面枠３０の背面側の縦材３１に備えたストッパ付ボルト３７に正面側から差込む。横桟４０の取付部４１がストッパ付ボルト３７のストッパ３７Ａにより抜け止めされる。
【００２９】
(3)側面用シート２２Ａの上縁部の吊りフック５２を方形側面枠３０における上横材３２に設ける。続いて、側面用シート２２Ａの両側縁部のハト目５３に結んだひも５４を方形側面枠３０の正面側と背面側の縦材３１に結束する（図７）。
【００３０】
(4)背面用シート２２Ｂの上縁部の吊りフック５２を横桟４０に掛ける。続いて、背面用シート２２Ｂの両側縁部のハト目５３に結んだひも５４を左右の方形側面枠３０の背面側の縦材３１に結束する（図７）。
【００３１】
仮設トイレ１０を工事現場から撤収するに際しては、仮設トイレ用囲い２０が上述(1)〜(4)と逆手順で分解されて仮設トイレ１０から撤去される。
【００３２】
本実施例よれば以下の作用効果を奏する。
(a)仮設トイレ１０を囲む囲み枠体２１が、左右２個の方形側面枠３０と、両方形側面枠３０に着脱されて架け渡される横桟４０とから形成される。横桟４０は単純かつ軽量体である。しかも、横桟４０は両端部を両方形側面枠３０に簡易に着脱されるだけで囲み枠体２１を形成でき、組立／分解作業性も良い。従って、仮設トイレ囲い２０の簡素化を図ることができる。
【００３３】
(b)前記方形側面枠３０に設けた上下の取付部３５、３６が、仮設トイレ１０が備える上下の取付手段としての吊りフック１５とストッパ付ボルト１６に着脱されるものとすることにより、方形側面枠３０の仮設トイレ１０への組立／分解作業性も良い。
【００３４】
(c)前記仮設トイレ１０の上取付手段が吊りフック１５であり、下取付手段が便槽取付具を構成するストッパ付ボルト１６であるものとすることにより、方形側面枠３０を仮設トイレ１０がもともと備える吊りフック１５と便槽取付具としてのストッパ付ボルト１６を利用して該仮設トイレ１０にワンタッチで簡易かつ確実に着脱できる。
【００３５】
図８は囲み枠体２１の方形側面枠３０を仮設トイレ１０に取着する構造の変形例を示す。方形側面枠３０の上部に設けた上取付部３５をフック６１とし、方形側面枠３０の下部に設けた下取付部３６をストッパ付ボルト６２（ストッパ付ボルト１６と同一構造）としたものである。上取付部３５のフック６１が仮設トイレ１０の上部に設けられた上取付環１８に差込まれ、かつ下取付部３６のストッパ付ボルト６２が仮設トイレ１０の下部に設けた下取付環１９へ差込まれる。下取付部３６のストッパ付ボルト６２はストッパ６２Ａ（ストッパ付ボルト１６のストッパ１６Ａと同じ）に押込まれて仮設トイレ１０の下取付環１９に挿着された後、弾発的に突出するストッパ６２Ａにより抜け止めされる。ストッパ付ボルト６２のストッパ６２Ａが作業者の手によって押込まれたとき、ストッパ付ボルト６２は下取付環１９から抜き取りできる。
【００３６】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００３７】
本考案は、ボックス型の仮設トイレを外側から囲んで被覆する仮設トイレ囲いにおいて、仮設トイレの左右の側面に取着される左右２個の方形側面枠と、仮設トイレの背面側で、両方形側面枠に着脱されて架け渡される横桟とから、仮設トイレを囲む囲み枠体を形成し、仮設トイレを被覆するシートを上記囲み枠体に取着してなるものである。これにより、簡素な仮設トイレ囲いを提供できる。
【符号の説明】
【００３８】
１０  仮設トイレ
１１  便槽
１２  ハウス
１５  吊りフック（上取付手段）
１６  ストッパ付ボルト（便槽取付具、下取付手段）
２０  仮設トイレ囲い
２１  囲み枠体
２２  シート
３０  方形側面枠
３５  上取付部
３６  下取付部
４０  横桟
【図１】
0003182792.tif 000003
【図２】
0003182792.tif 000004
【図３】
0003182792.tif 000005
【図４】
0003182792.tif 000006
【図５】
0003182792.tif 000007
【図６】
0003182792.tif 000008
【図７】
0003182792.tif 000009
【図８】
0003182792.tif 000010